(57)【特許請求の範囲】
【請求項１】
ハーネスを所定の曲げ形状を保持して他部品と干渉することなく配線するハーネス配線用プロテクタであって、
所定の曲げ形状を有し、前記ハーネスが嵌め込み可能な間隔を隔てた内側ガイド面および外側ガイド面と、その内側ガイドおよび外側ガイド面の一方の側縁同士を結合する側面とを有する断面Ｕ字形の半筒状体であり、両端面および他側面が開口されており、
前記半筒状体の前記内側ガイド面および外側ガイド面は、前記ハーネスを構成する複数本のケーブルの本数に対応し、かつ前記ハーネスの一部が前記他側面の開口から露出される幅寸法を有していることを特徴とするハーネス配線用プロテクタ。
【請求項２】
前記内側ガイド面および外側ガイド面の幅寸法は、前記ハーネスのケーブルが分岐される端部側に向けて一端側から他端側に漸次幅広とされていることを特徴とする請求項１に記載のハーネス配線用プロテクタ。
【請求項３】
前記半筒状体は、前記ハーネスに装着され、その外周に巻き付けられるテープにより前記ハーネスと締め付け固定可能とされていることを特徴とする請求項１または２に記載のハーネス配線用プロテクタ。
【請求項４】
前記断面Ｕ字形の半筒状体は、樹脂材による一体成形品とされることを特徴とする請求項１ないし３のいずれかに記載のハーネス配線用プロテクタ。
【発明の詳細な説明】
【技術分野】
【０００１】
本発明は、ケーブル径が比較的大径であって、自身がスプリングバックにより曲げ形状を保持することが困難なハーネスを、限られたスペース内に他部品と干渉することなく配線するためのハーネス配線用プロテクタに関するものである。
【背景技術】
【０００２】
車載用空気調和装置の電動圧縮機には、車両に搭載されているバッテリー等の電源から電動圧縮機の電動モータに電力を供給するための電源ケーブル（ハーネス）が接続されることとなる。このハーネスには、大きな電流が流れるために、コルゲートチューブ等により絶縁被覆された比較的大径のケーブルが用いられる。ケーブルは、プラス側およびマイナス側２本を束ねて用いるが、各ケーブルはそれぞれ外径が十数ｍｍと太くなる場合もあり、自身はスプリングバックにより曲げ形状を保持することができなくなる場合がある。
【０００３】
上記した車載用の電動圧縮機は、一般にスペース的に余裕のないエンジンルーム内に設置されることが多く、上記のような太いハーネスを真っすぐに他の部品と干渉することなく配線することは実質的に困難である。そこで、ハーネスにプロテクタを装着し、プロテクタの介在によりハーネスを強制的に所定の曲げ形状、あるいは折り曲げ形状に保持することによって、限られた狭いスペース内に他部品と干渉することなく配線することが考えられる。
【０００４】
ハーネスの配線に使用されるプロテクタとして、特許文献１には、一端が互いに相反する方向に湾曲されたプロテクト板をヒンジ結合し、湾曲部にそれぞれ楔状のスリットを有する保持部を設け、ハーネスを保持部に挿通して配線することにより、ハーネスの屈曲時の応力を緩和するようにしたものが示されている。また、特許文献２には、断面矩形筒状で円弧状に湾曲形成され、ワイヤハーネスを挿通保持して一端側を支点に回動可能なハーネス保持部材と、該ハーネス保持部材を進退自在に収容し、ハーネス保持部材の他端側から導出されたワイヤハーネスを揺動自在に支持するケースとからなり、スライド構造体の二次元的動きにスムーズに対応でき、しかも配置を省スペースで行うことができるハーネス配索構造が示されている。また、特許文献３には、折り曲げ基準辺を外周縁に有するとともに、板面の表面側および裏面側にそれぞれフラットケーブルが載置される基板と、基板の表面側および裏面側に設けられ、フラットケーブルを表面および裏面に沿わせて保持する保持片と、基板上に設けられ、保持片により保持されたフラットケーブルの外側への跳ね返りを規制する規制部とを備えたケーブル用折り曲げ保持具が示されている。
【０００５】
【特許文献１】特開平１０−６８８１号公報
【特許文献２】特開２００４−６４８１５号公報
【特許文献３】特開２００７−１０９４９７号公報
【発明の開示】
【発明が解決しようとする課題】
【０００６】
しかしながら、上記特許文献１ないし３に示されているプロテクタは、ケーブルを挿通して配線する保持部や保持片、あるいは規制部等を備えており、複数の部品から構成される複雑な構造を有している。従って、プロテクタ自体の製造に工数がかかり、高価となる問題がある。また、ケーブルにプロテクタを装着する際にも、筒状やスリット状の保持部に対してケーブルを挿通しなければならず、装着作業に手間がかかるとともに、端部にコネクタが取り付けられているケーブルの場合には、プロテクタの装着が難しくなる等の問題があり、配線作業上のネックとなるおそれがある。
【０００７】
本発明は、このような事情に鑑みてなされたものであって、シンプルな構成で簡単かつ安価に製造でき、しかもハーネスへの装着が容易で曲げ形状を保持することが困難なハーネスを、限られたスペース内に他部品と干渉することなく簡便に配線することができるハーネス配線用プロテクタを提供することを目的とする。
【課題を解決するための手段】
【０００８】
上記課題を解決するために、本発明のハーネス配線用プロテクタは、以下の手段を採用する。
すなわち、本発明にかかるハーネス配線用プロテクタは、ハーネスを所定の曲げ形状を保持して他部品と干渉することなく配線するハーネス配線用プロテクタであって、所定の曲げ形状を有し、前記ハーネスが嵌め込み可能な間隔を隔てた内側ガイド面および外側ガイド面と、その内側ガイドおよび外側ガイド面の一方の側縁同士を結合する側面とを有する断面Ｕ字形の半筒状体であり、両端面および他側面が開口されており、前記半筒状体の前記内側ガイド面および外側ガイド面は、前記ハーネスを構成する複数本のケーブルの本数に対応し、かつ前記ハーネスの一部が前記他側面の開口から露出される幅寸法を有していることを特徴とする。
【０００９】
本発明によれば、所定の曲げ形状を有し、断面Ｕ字形で両端面および他側面が開口されている半筒状体であり、その内側ガイド面および外側ガイド面が、ハーネスを構成する複数本のケーブルの本数に対応し、かつハーネスの一部が他側面の開口から露出される幅寸法を有しているプロテクタに対して、ハーネスを曲げながら他側面の開口から内側ガイド面および外側ガイド面間に嵌め込み、プロテクタを装着することにより、ハーネスを所定の曲げ形状に保持することができる。従って、プロテクタをハーネスの曲げ配線部分に嵌め込んで装着するだけの簡単な作業工程の追加で、例えば十数ｍｍ以上の径を有し、スプリングバックによって曲げ形状を保持することが困難なハーネスを、限られた狭いスペース内に他部品との干渉を避けて配線することが可能となる。また、プロテクタ自体を所定の曲げ形状を有する断面Ｕ字形の半筒状体にて構成できるため、シンプルな構成で簡単かつ安価に製造することができる。更に、内側および外側ガイド面の幅寸法が複数本のケーブルの本数に対応し、かつハーネスの一部が他側面の開口から露出される寸法とされているため、ハーネスの曲げ配線部分に対して確実にプロテクタを嵌め込み、ハーネスの一部が他側面の開口から露出されるように装着することができ、従って、スプリングバックにより曲げ形状を保持することが困難なハーネスを所定の曲げ形状を保持して、容易に配線することができるとともに、必要に応じてテープ等でプロテクタとハーネスの露出部とを固定することができる。
【００１０】
さらに、本発明のハーネス配線用プロテクタは、上記のハーネス配線用プロテクタにおいて、前記半筒状体の前記内側ガイド面および外側ガイド面は、前記ハーネスを構成するケーブルの本数に対応した幅寸法を有することを特徴とする。
【００１１】
本発明によれば、複数本のケーブルにより構成されるハーネスであっても、内側および外側ガイド面の幅寸法がケーブルの本数に対応した寸法とされているため、ハーネスの曲げ配線部分に対して確実にプロテクタを嵌め込んで装着することができる。従って、スプリングバックにより曲げ形状を保持することが困難なハーネスを所定の曲げ形状を保持して、容易に配線することができる。
【００１２】
さらに、本発明のハーネス配線用プロテクタは、上述のいずれかのハーネス配線用プロテクタにおいて、前記半筒状体は、前記ハーネスに装着され、その外周に巻き付けられるテープにより前記ハーネスと締め付け固定可能とされていることを特徴とする。
【００１３】
本発明によれば、ハーネスの一部が他側面の開口から露出されるように装着されている半筒状体のプロテクタに対して、その外周にテープが巻き付けられることにより、プロテクタとハーネスとを締め付け固定することができる。この際、テープをプロテクタとハーネスの露出部の双方に密着させ、両者を確実に固定することができ、従って、プロテクタを確実に固定してその脱落を防止し、ハーネスを限られた狭いスペース内に他部品と干渉することなく配線することができる。
【００１４】
さらに、本発明のハーネス配線用プロテクタは、上述のいずれかのハーネス配線用プロテクタにおいて、前記断面Ｕ字形の半筒状体は、樹脂材による一体成形品とされることを特徴とする。
【００１５】
本発明によれば、断面Ｕ字形の半筒状体は、所定の曲げ形状を有する所定長さの樹脂材による一体成形品とされる。従って、プロテクタ自体を射出成形等により簡単にかつ安価に製造することができる。
【発明の効果】
【００１６】
本発明によると、ハーネスをプロテクタの内側ガイド面および外側ガイド面間に嵌め込んで、プロテクタを装着するだけの簡単な作業工程の追加で、スプリングバックにより曲げ形状を保持することが困難なハーネスを、所定の曲げ形状に保持することができる。このため、ハーネスを限られたスペース内に他部品との干渉を避けて、容易に配線することが可能となる。また、プロテクタ自体を所定の曲げ形状を有する断面Ｕ字形の半筒状体にて構成できるため、シンプルな構成で簡単かつ安価に製造することができる。
【発明を実施するための最良の形態】
【００１７】
以下に、本発明の一実施形態について、図１ないし図５を参照して説明する。
図１には、車載用空気調和装置の電動圧縮機１に適用されるハーネスアッセンブリ（ハーネス）１０と、そのハーネスアッセンブリ１０に装着され、ハーネスアッセンブリ１０を所定の曲げ形状を保持して配線するプロテクタ３０の斜視図が示されている。電動圧縮機１は、インバータ装置（図示省略）を介して駆動される電動モータ（図示省略）を内蔵して構成されるインバータ一体型の電動圧縮機である。この電動圧縮機１には、車両に搭載されたバッテリーからハーネスアッセンブリ１０を介して電力が供給され、電動圧縮機１はインバータ装置を介して電動モータにより可変速駆動される。
【００１８】
ハーネスアッセンブリ１０は、図１〜図４に示されるように、一端側１０Ａにプラス側およびマイナス側端子１２Ａ，１２Ｂが設けられたコルゲートチューブ等により絶縁被覆されている２本のケーブル１１Ａ，１１Ｂによって構成され、端子１２Ａ，１２Ｂが電動圧縮機１側のインバータ装置の電源入力端子に接続される。ハーネスアッセンブリ１０の他端側１０Ｂには、車両に搭載されたバッテリーに接続するためのコネクタ２０が設けられる。このハーネスアッセンブリ１０は、プラス側およびマイナス側の２本のケーブル１１Ａ，１１Ｂを束ねて用いるが、各ケーブル１１Ａ，１１Ｂは外径が十数ｍｍと太く、自身はスプリングバックにより曲げ形状を保持することが困難なものである。
【００１９】
コネクタ２０は、フランジ部２１Ａおよびフランジ部２１Ａの一面から直角方向に突出する断面長円形状の突出部２１Ｂからなるコネクタ本体２１と、コネクタ本体２１から前方に突出されて設けられ、上記２本の絶縁被覆ケーブル１１Ａ，１１Ｂに接続される一対のプラス側およびマイナス側コネクタ端子２２Ａ，２２Ｂと、コネクタ本体２１に設けられ、コネクタ２０を車両側に固定するための２本のボルトネジ２３と、コネクタ本体２１に設けられ、コネクタ端子保護キャップ２５（図１参照）を取り付ける際にその位置決めを行うピン２４と、から構成される。
【００２０】
コネクタ端子保護キャップ２５は、圧縮機工場において製造された電動圧縮機１を車両の組み立て工場等に搬送あるいは輸送する間に、コネクタ端子２２Ａ，２２Ｂへのゴミや塵埃、水滴等の付着、あるいはコネクタ端子が他の部材と接触して損傷するのを防止するなどのために、コネクタ端子２２Ａ，２２Ｂの外周を覆ってコネクタ本体２１に取り付けられる保護キャップである。このコネクタ端子保護キャップ２５は、コネクタ本体２１の突出部２１Ｂに嵌合され、上下一対の爪部材２６をフランジ部２１Ａに係止することにより、着脱自在に取り付けられる。
【００２１】
プロテクタ３０は、ハーネスアッセンブリ１０の一端１０Ｂ側において、コネクタ２０の近傍に装着される。このプロテクタ３０は、図１に示されるように、下方から上方に立ち上がるハーネスアッセンブリ１０を、その一端１０Ｂに設けられているコネクタ２０が車両に搭載されているバッテリー等の電源に接続され易いようにほぼ水平状態に曲げ、その曲げ形状を保持してハーネスアッセンブリ１０が狭いエンジンルーム内で他部品と干渉しないように配線する機能を担うものである。つまり、プロテクタ３０は、自身がスプリングバックによって曲げ形状を保持することが困難なハーネスアッセンブリ１０に装着され、ハーネスアッセンブリ１０を所定の曲げ形状に保持して配線するためのものである。
【００２２】
また、プロテクタ３０は、図５に示されるように、６６ナイロン等の樹脂材による一体成形品にて構成される。具体的には、ハーネスアッセンブリ１０を曲げ配線する場合の曲げ半径に対応する半径の曲げ形状を有し、上記した外径が十数ｍｍのケーブル１１Ａ，１１Ｂが嵌め込み可能な間隔を隔てた内側ガイド面３１および外側ガイド面３２と、その内側ガイド面３１および外側ガイド面３２の一方の側縁同士を結合する側面３３とを有する断面Ｕ字形の半筒状体３４により構成され、射出成形等で一体成形により製造される。この半筒状体３４は、両端面および他側面が開口されており、他側面の開口３５からハーネスアッセンブリ１０に嵌め込み可能とされている。
【００２３】
半筒状体３４の内側ガイド面３１および外側ガイド面３２は、ハーネスアッセンブリ１０を構成する２本のケーブル１１Ａ，１１Ｂを嵌め込むことが可能な幅寸法を有する。詳しくは、内外ガイド面３１，３２の間にハーネスアッセンブリ１０を構成する２本のケーブル１１Ａ，１１Ｂを嵌め込んだとき、図３および図４に示されるように、開口３５側に位置するケーブル１１Ａの一部が開口３５から露出（露出部を図３，４に１１ａとして表示）する寸法とされている。また、内側ガイド面３１および外側ガイド面３２の両端部の幅寸法Ｌ１，Ｌ２は、ハーネスアッセンブリ１０のケーブル１１Ａ，１１Ｂが分岐される端部側に向けて一端側から他端側に漸次幅広となるように、Ｌ１＜Ｌ２されている。このように、内側ガイド面３１および外側ガイド面３２の幅寸法を規定することにより、プロテクタ３０をハーネスアッセンブリ１０に装着し、その外周に図示省略のテープを巻き付けてテーピング固定する際に、テープをプロテクタ３０とハーネスアッセンブリ１０との双方に密着させて両者を確実に固定することができる。
【００２４】
以上の構成により、本実施形態によれば、以下の作用効果を奏する。
ハーネスアッセンブリ（ハーネス）１０は、圧縮機の製造ラインにおいて、電動圧縮機１に一体に組み込まれるインバータ装置の電源入力端子に一端側１０Ａの端子１２Ａ，１２Ｂを接続することにより組み付けられる。このハーネスアッセンブリ１０の他端側１０Ｂに設けられているコネクタ２０には、コネクタ端子２２Ａ，２２Ｂを保護するために、コネクタ端子保護キャップ２５が取り付けられる。このコネクタ端子保護キャップ２５は、電動圧縮機１を車両の組み立て現場へと搬送あるいは輸送する間に、ハーネスアッセンブリ１０のコネクタ端子２２Ａ，２２Ｂにゴミや塵埃、水滴等が付着したり、端子２２Ａ，２２Ｂが他の部材と接触して損傷したりするのを防止し保護する。
【００２５】
また、ハーネスアッセンブリ１０のコネクタ２０側の一端部１０Ｂ側には、自身がスプリングバックにより曲げ形状を保持することが困難なハーネスアッセンブリ１０を、狭いエンジンルーム内において他部品と干渉することなく配線するためのプロテクタ３０が装着される。プロテクタ３０は、ハーネスアッセンブリ１０の曲げ配線部分を湾曲させながら側面の開口３５から内側ガイド面３１と外側ガイド面３２間に嵌め込んだ後、その外周をテーピングすることにより、ハーネスアッセンブリ１０に装着され、固定される。これによって、スプリングバックしようとするハーネスアッセンブリ１０を所定の曲げ形状に保持することができる。電動圧縮機１は、この状態で車両の組み立て工場に搬送あるいは輸送され、車両のエンジンルーム内等において、ハーネスアッセンブリ１０がバッテリーや電源系ユニット等の電源に接続された状態で組み付けられる。この際、エンジンルーム内等において、ハーネスアッセンブリ１０をバッテリーや電源系ユニットに容易に接続することができる。
【００２６】
斯様に、プロテクタ３０をハーネスアッセンブリ１０の曲げ配線部分に嵌め込んで装着するだけの簡単な工程の追加により、自身がスプリングバックにより曲げ形状を保持することが困難なハーネスアッセンブリ１０を所定の形状に曲げ、エンジンルーム内等の限られた狭いスペースに他部品との干渉を避けて、容易に配線することが可能となる。また、プロテクタ３０を所定の曲げ形状を有する断面Ｕ字形の半筒状体として樹脂材の一体成形品で構成することができ、射出成形等により一体成形することができる。従って、プロテクタ３０をシンプルな構成で簡単かつ安価に製造することができる。
【００２７】
また、プロテクタ３０の内側ガイド面３１および外側ガイド面３２の幅寸法を、両ガイド面３１，３２間にハーネスアッセンブリ１０を構成する２本のケーブル１１Ａ，１１Ｂを嵌め込んだとき、開口３５側に位置するケーブル１１Ａの一部が開口３５から露出する寸法とし、さらに内側ガイド面３１および外側ガイド面３２の両端部の幅寸法Ｌ１，Ｌ２を、ハーネスアッセンブリ１０のケーブル１１Ａ，１１Ｂが分岐される端部側に向けて一端側から他端側に漸次幅広となるように、Ｌ１＜Ｌ２としている。これにより、プロテクタ３０をハーネスアッセンブリ１０の形状に合致させた状態で装着することができ、その外周にテープを巻き付けてテーピング固定する際に、テープをプロテクタ３０とハーネスアッセンブリ１０の双方に密着させて両者を強固に固定することができる。従って、プロテクタ３０を確実に固定してその脱落を防止し、ハーネスアッセンブリ１０を狭いスペース内に他部品と干渉することなく配線することができる。
【００２８】
なお、本発明は、上記した実施形態にかかる発明に限定されるものではなく、その要旨を逸脱しない範囲において、適宜変形が可能である。例えば、ハーネスアッセンブリ１０は、２本のケーブル１１Ａ，１１Ｂを束ねたものを例に説明したが、１本あるいは３本以上のケーブルからなるハーネスアッセンブリにも適用できることはもちろんであり、この場合、プロテクタ３０の内側ガイド面３１および外側ガイド面３２の幅寸法も、ケーブルの本数に対応して設定される。さらに、ハーネスアッセンブリ１０の曲げ形状や曲げ半径の大きさ、あるいは曲げ位置は適宜であり、プロテクタ３０は、それらに合致するように製造されることはもちろんである。また、曲げ形状は円弧に限定されるものではない。
【図面の簡単な説明】
【００２９】
【図１】本発明の一実施形態にかかるハーネス配線用プロテクタを装着したハーネスアッセンブリの斜視図である。
【図２】図１に示すハーネス配線用プロテクタを装着したハーネスアッセンブリの一端部側の側面図である。
【図３】図２に示すハーネスアッセンブリの左側面図である。
【図４】図２に示すハーネスアッセンブリの上面図である。
【図５】本発明の一実施形態にかかるハーネス配線用プロテクタの側面図（Ａ）とその右側面図（Ｂ）および下面図（Ｃ）である。
【符号の説明】
【００３０】
１０  ハーネスアッセンブリ（ハーネス）
１１Ａ，１１Ｂ  ケーブル
１１ａ  露出部
３０  ハーネス配線用プロテクタ
３１  内側ガイド面
３２  外側ガイド面
３３  側面
３４  半筒状体
３５  開口
Ｌ１，Ｌ２  ガイド面の幅寸法
【図１】
0004848343.tif 000002
【図２】
0004848343.tif 000003
【図３】
0004848343.tif 000004
【図４】
0004848343.tif 000005
【図５】
0004848343.tif 000006